(57)【要約】  概して、フェムトセル配置のための効率的なページング処理が開示される。この点において、ページングコントローラは、複数のマクロ基地局および複数のフェムト基地局と通信する有線バックボーンインタフェースと、移動局用のページを生成し、移動局がアクセスを許された基地局を含む、全ての基地局から選択されたサブセットに対して、有線バックボーンインタフェースを介してページを送信する制御ロジックとを備える。他の実施形態も記載され請求されている。【選択図】図１
2012518974.tif 000002
【特許請求の範囲】
【請求項１】
複数のマクロ基地局および複数のフェムト基地局と通信する有線バックボーンインタフェースと、
移動局用のページを生成し、前記移動局がアクセスを許された基地局を含む、全ての基地局から選択されたサブセットに対して、前記有線バックボーンインタフェースを介して前記ページを送信する制御ロジックと
を備える
ブロードバンド無線ネットワークページングコントローラ。
【請求項２】
選択された前記サブセットは、前記ページに対応する１以上のページンググループＩＤを有する全てのマクロ基地局を含む請求項１に記載のブロードバンド無線ネットワークページングコントローラ。
【請求項３】
前記移動局がアクセスを許された基地局をリストするデータベースにアクセスすることにより、前記サブセットを選択する制御ロジックをさらに備える請求項１に記載のブロードバンド無線ネットワークページングコントローラ。
【請求項４】
前記データベースを維持するために複数の基地局と通信する制御ロジックをさらに備える請求項３に記載のブロードバンド無線ネットワークページングコントローラ。
【請求項５】
サブスクライバグループの変更について前記複数のフェムト基地局に周期的にクエリを行う制御ロジックをさらに備える請求項４に記載のブロードバンド無線ネットワークページングコントローラ。
【請求項６】
サブスクライバグループの変更について前記複数のフェムト基地局から更新を受信して、前記データベースを更新する制御ロジックをさらに備える請求項４に記載のブロードバンド無線ネットワークページングコントローラ。
【請求項７】
同じページンググループ識別（ＰＧＩＤ）を共有するフェムト基地局に対して、前記有線バックボーンインタフェースを介して前記ページを送信する制御ロジックをさらに備える請求項１に記載のブロードバンド無線ネットワークページングコントローラ。
【請求項８】
複数のマクロ基地局と、
複数のフェムト基地局と、
移動局と、
有線バックボーンと、
前記移動局用のページを生成し、前記移動局がアクセスを許された基地局を含む、全ての基地局から選択されたサブセットに対して、前記有線バックボーンを介して前記ページを送信するページングコントローラと
を備えるブロードバンド無線ネットワーク。
【請求項９】
選択された前記サブセットは、前記ページに対応するページンググループＩＤを有する全てのマクロ基地局を含む請求項８に記載のブロードバンド無線ネットワーク。
【請求項１０】
前記移動局がアクセスを許された基地局をリストするデータベースにアクセスすることにより、前記サブセットを選択するページングコントローラをさらに備える請求項８に記載のブロードバンド無線ネットワーク。
【請求項１１】
前記データベースを維持するために複数の基地局と通信するページングコントローラをさらに備える請求項１０に記載のブロードバンド無線ネットワーク。
【請求項１２】
サブスクライバグループの変更について前記複数のフェムト基地局に周期的にクエリを行うページングコントローラをさらに備える請求項１１に記載のブロードバンド無線ネットワーク。
【請求項１３】
サブスクライバグループの変更について前記複数のフェムト基地局から更新を受信して、前記データベースを更新するページングコントローラをさらに備える請求項１１に記載のブロードバンド無線ネットワーク。
【請求項１４】
同じページンググループ識別（ＰＧＩＤ）を共有するフェムト基地局に対して、有線バックボーンインタフェースを介して前記ページを送信するページングコントローラをさらに備える請求項８に記載のブロードバンド無線ネットワーク。
【請求項１５】
ブロードバンド無線移動局のページングを促す指示を受信する段階と、
前記移動局用のページを生成する段階と、
サービスエリア内の全ての基地局から、前記移動局がアクセスを許された基地局に基づいて、サブセットを選択する段階と、
前記選択された基地局のサブセットに対して、有線バックボーンを介して前記ページを送信する段階と
を備える方法。
【請求項１６】
前記選択されたサブセットは、前記ページに対応する１以上のページンググループＩＤを有する全てのマクロ基地局を含む請求項１５に記載の方法。
【請求項１７】
サービスエリア内の全ての基地局からサブセットを選択する段階は、
前記移動局がアクセスを許された基地局をリストするデータベースにアクセスする段階を有する請求項１５に記載の方法。
【請求項１８】
前記データベースを維持するために前記基地局と通信する段階をさらに備える請求項１７に記載の方法。
【請求項１９】
サブスクライバグループの変更について複数のフェムト基地局に周期的にクエリを行う段階をさらに備える請求項１８に記載の方法。
【請求項２０】
サブスクライバグループの変更について複数のフェムト基地局から更新を受信して、前記データベースを更新する段階をさらに備える請求項１８に記載の方法。
【発明の詳細な説明】
【技術分野】
【０００１】
本発明の実施形態は、ブロードバンド無線ネットワーク分野に係り、より詳しくは、フェムトセル配置のための効率的なページング処理に係る。
【背景技術】
【０００２】
フェムトセルは、常駐ＤＳＬまたはケーブルブロードバンド接続を利用してモバイルオペレータのネットワークに標準的なモバイルデバイスを接続する認可スペクトルで動作する低電力の無線アクセスポイントである。例えばwww.femtoforum.comを参照のこと。フェムトセルは、特にアクセスが制限を受けたり利用不可能である場合において、サービスプロバイダに、ネットワーク処理コストを低減させたり、より良い価格を提供させたり、彼等の室内におけるサービス範囲を拡大させたりすることができる。数千のフェムトセルが単一のマクロセルに含まれうるような密なフェムトセルの配置により（例えば各家庭に１つのフェムトセルを配置する、と想定するような場合）、アイドルモードおよびページング処理において、バックボーンには多大なオーバヘッドが生じる場合がある。
【０００３】
本発明の実施形態は、以下の構成に関する詳細な説明、例示的な実施形態、および請求項の記載を、添付図面とともに読むことで明らかになるであろう。上述および後述の記載および図示による開示事項は、本発明の開示構成および例示的な実施に焦点を当てたものとなっているが、これらはあくまで例示に過ぎず、本発明の実施形態はこれに限定はされない。
【０００４】
以下は、図面の簡単な説明であり、図面において同様の参照番号を付された部材同士は類似している。
【図面の簡単な説明】
【０００５】
【図１】本発明の一例である実施形態における、フェムトセル配置のための効率的なページング処理を実装するのに適した一例である無線ブロードバンドネットワークのブロック図である。
【０００６】
【図２】本発明の一例である実施形態における、ブロードバンド無線ネットワークページングコントローラの一例を示すブロック図である。
【０００７】
【図３】本発明の一例である実施形態における、サブスクライバデータベースの一例のブロック図である。
【０００８】
【図４】本発明の一例である実施形態における、フェムトセル配置のための効率的なページング処理の方法の一例のフローチャートでる。
【０００９】
【図５】デバイスによりアクセスされると、デバイスに本発明の１以上の実施形態の１以上の側面を実装させる内容を含む格納媒体の一例のブロック図である。
【発明を実施するための形態】
【００１０】
以下の詳細な記載において、数多くの特定の詳細を述べて、本発明の完全な理解を促す。しかし当業者であれば、本発明の実施形態がこれら特定の詳細なしに実行可能であることを理解する。また、構造およびデバイスをブロック図の形式で示して、本発明を曖昧にしないようにしている箇所もある。
【００１１】
「一実施形態」「ある実施形態」といった言い回しが本明細書で随所に利用されるが、これらは、その実施形態との関連で記載される特定の特徴、構造、または特性が、少なくとも１つの実施形態に含まれることを意味している。「一実施形態」という言い回しは本明細書の随所に見られるが、これらは必ずしも全てが同じ実施形態のことを示しているわけではない。さらに、１以上の実施形態では、特定の特徴、構造、または特性を任意の適切な方法で組み合わせることもできる。
【００１２】
図１は、本発明の一例である実施形態における、フェムトセル配置のための効率的なページング処理を実装するのに適した一例である無線ブロードバンドネットワークのブロック図である。無線ブロードバンドネットワーク１００は、モバイルデバイスをサポートするブロードバンド無線ネットワークを表すことを意図している。一実施形態では、無線ブロードバンドネットワーク１００は、例えばＩＥＥＥ８０２．１６ｅ−２００５等のＩＥＥＥ８０２．１６規格の改訂版に準拠している。例示する実施形態においては、無線ブロードバンドネットワーク１００では、１以上のマクロ基地局１０２および１０４、フェムト基地局１０６、１０８、１１０、１１２、および１１４、サービスエリア１１６、移動局１１８、有線バックボーン１２０、ページングコントローラ１２２、およびシステムリソース１２４が、図１に示すように連結されている。
【００１３】
基地局１０２−１１４は、移動局１１８等の移動局に対して無線ブロードバンドネットワークアクセスを提供する。マクロ基地局１０２および１０４は、例えば、サービスプロバイダがタワーまたはビルの上に維持する基地局を表す。フェムト基地局１０６、１０８、１１０、１１２、および１１４は、低電力であり、ユーザが家庭およびオフィスに維持する基地局を表していてよいが、本発明はこの点に限定はされない。一実施形態では、サービスプロバイダは、サブスクライバに対して、例えば移動局１１８を介して、任意のマクロ基地局を介して、無線ブロードバンドネットワークへのアクセスを許可することができるが、各フェムト基地局を介したアクセスは、フェムト基地局のユーザ／所有者の認可が必要となる場合がある。
【００１４】
サービスエリア１１６は、無線ブロードバンドネットワーク１００の地理的拡張を表すことができる。一実施形態では、サービスエリア１１６は、例えば地形的または障壁上の問題等で（不図示）、マクロ基地局からのサービスが利用できない領域を含みうる。一実施形態では、サービスエリア１１６内の基地局は、同じページンググループＩＤ（ＰＧＩＤ）ｋを共有することができる。
【００１５】
移動局１１８は、無線ブロードバンドネットワーク１００に接続する任意のモバイルデバイスを表す。例えば、移動局１１８は、無線ブロードバンド機能およびアクセスを有するラップトップ、ネットブック、携帯電話機、モバイルインターネットデバイス、タブレット、情報携帯端末等を表してよいが、これらに限定はされない。移動局１１８は、ユーザにより携帯されて、移動局１１８が一部の基地局から離れ、他の基地局には近くなる。
【００１６】
有線バックボーン１２０は、サービスエリア１１６のフェムト基地局およびマクロ基地局に、ページングコントローラ１２２およびシステムリソース１２４と通信させる。簡略化のために、統一されたバックボーンとして示されているが、有線バックボーン１２０は、様々な位置において様々な媒体およびインフラストラクチャ（例えば光ファイバケーブル、同軸ケーブル、銅線等）を含んでよい。
【００１７】
ページングコントローラ１２２は、後述するように効率的なページングのための１以上の方法を実装することができる。ページングコントローラ１２２は、図２を参照して記載する制御ロジックおよびその他のコンポーネントを含んでよい。
【００１８】
システムリソース１２４は、無線ブロードバンドネットワーク１００をインターネットに接続させ、特に、サブスクライバの情報および認証およびセキュリティサービスを含んでよい。
【００１９】
図２は、本発明の一例である実施形態における、ブロードバンド無線ネットワークページングコントローラの一例を示すブロック図である。ページングコントローラ２００は、図示されているように、有線バックボーンインタフェース２０２、制御ロジック２０４、システムリソースインタフェース２０６、サブスクライバデータベース２０８、およびメモリを含んでよい。有線バックボーンインタフェース２０２は、ページングコントローラ２００に、有線バックボーン１２０およびサービスエリア１１６の基地局に対する接続を提供してよい。
【００２０】
制御ロジック２０４は、例えば図４を参照して説明するように、ページングコントローラ２００に、フェムトセル配置のための効率的なページング処理方法を実装させる。制御ロジック２０４は、任意の種類のマイクロプロセッサ、コントローラ、ＡＳＩＣ、状態マシン等を表してよい。制御ロジック２０４は、ページングコンローラ２００に、例えば、システムリソースインタフェース２０６を介してシステムリソース１２４から受信したページの開始を促す指示を受けて、移動局１１８のページを生成することのできる機能を提供してよい。制御ロジック２０４は、ページングコントローラ２００に、移動局１１８用のページを選択されたサブセットの基地局に、移動局１１８の位置を知らなくても送信する機能を与えることができる。一実施形態では、制御ロジック２０４は、移動局１１８がアクセスを許されている基地局に基づいて、移動局１１８用のページを送信するサブセットの基地局を選択することができる。一実施形態では、制御ロジック２０４は、移動局１１８用のページを、全てのマクロ基地局（１０２および１０４）、および、移動局１１８を特別に承認したフェムト基地局のみに送信する。
【００２１】
一実施形態では、制御ロジック２０４は、サブスクライバデータベース２０８にアクセスしてページを送信する基地局を選択することができる。ページングコントローラ２００の一部として示されているが、サブスクライバデータベース２０８は、任意の位置に配置されてよい（例えば、システムリソース１２４内）。サブスクライバデータベース２０８は、アクセスを許されている移動局および基地局のエントリを含んでよい（一例は図３に示されている）。一実施形態では、制御ロジック２０４は、ページングコントローラに、サブスクライバデータベース２０８を維持するためにブロードバンド無線ネットワーク１００の基地局と通信する機能を与えることができる。一実施形態では、制御ロジック２０４は、フェムト基地局１０６から１１４に対して、サブスクライバグループの変更について周期的にクエリを行い、サブスクライバデータベース２０８を更新することができる。別の実施形態では、フェムト基地局１０６から１１４は、サブスクライバグループの変更が生じたときに、それら全てを通信して、制御ロジック２０４がサブスクライバデータベース２０８を更新する。
【００２２】
メモリ２１０は、ここで記載するフェムトセル配置のための効率的なページング方法の一例を実装するときに利用されるデータまたは命令を格納する（一時的または永久に）ために存在していてよい。
【００２３】
図３は、本発明の一例である実施形態における、サブスクライバデータベースの一例のブロック図である。本例では、サブスクライバデータベース３００は、基地局３０４のいずれに、移動局１１８がアクセスを許されているかを示すエントリ３０２を含む。一実施形態では、制御ロジック２０４は、移動局１１８用のページを受信するためにフェムト基地局１０６、１１０、および１１４を選択しなくてよい。
【００２４】
図４は、本発明の一例である実施形態における、フェムトセル配置のための効率的なページング処理の方法の一例のフローチャートでる。方法４００では、ページングコントローラ１２２が、サブスクライバデータベース３００を維持するためにサービスエリア１１６の基地局と通信してよい（４０２）。一実施形態では、ページングコントローラ１２２は、サービスエリア１１６内のフェムト基地局に対して、サブスクライバグループの変更について周期的にクエリを行う。別の実施形態では、サービスエリア１１６のフェムト基地局は、サブスクライバグループの変更が生じたときに、これを通信して、ページングコントローラ１２２がサブスクライバデータベース２０８を更新する。
【００２５】
次に、ページングコントローラ１２２は、システムリソース１２４からページの開始を促す指示を受けて（４０４）、ページングコントローラ１２２が、移動局（例えば移動局１１８）用のページの生成（４０６）を始めてよい。次に、ページングコントローラ１２２は、ページを受信する基地局を選択してよい（４０８）。一実施形態では、ページングコントローラ１２２は、全てのマクロ基地局、および、移動局１１８がアクセスを許されているフェムト基地局のみを選択することができる。一実施形態では、ページングコントローラ１２２は、サブスクライバデータベース３００にアクセスして、フェムト基地局１０８および１１２が移動局１１８用のページを受信するべきであると決定することができる。最後に、ページングコントローラ１２２は、移動局１１８用のページを、有線バックボーン１２０を介して、選択されたサブセットの基地局に送信する（４１０）。
【００２６】
図５は、デバイスによりアクセスされると、デバイスに本発明の１以上の実施形態の１以上の側面を実装させる内容を含む格納媒体の一例のブロック図である。この点に関して、格納媒体５００は内容５０２（例えば、命令、データ、またはこれらの任意の組み合わせ）を含み、これらは実行されると、システムに、上述した方法の１以上の態様を実装させる。
【００２７】
機械可読（格納）媒体５００は、これらに限定はされないが、フロッピー（登録商標）ディスク、光ディスク、ＣＤ−ＲＯＭ、光磁気ディスク、ＲＯＭ、ＲＡＭ、ＥＰＲＯＭ、ＥＥＰＲＯＭ、磁気カードまたは光カード、フラッシュメモリ、その他の、電子命令の格納に適した媒体／機械可読媒体を含んでよい。さらに本発明は、コンピュータプログラムプロダクトとしてダウンロード可能であり、ここでプログラムは遠隔コンピュータから要求を出しているコンピュータに、搬送波または他の伝播媒体で、通信リンク（例えばモデム、無線またはネットワーク接続）を介して転送することができる。
【００２８】
本発明の実施形態を複数の例示的な実施形態に基づいて記載してきたが、当業者であれば本発明の精神および原理の範囲内で数多くの他の修正例および実施形態を想到することができる。より具体的には、本発明の精神から逸脱せずに、本開示、図面、および添付図面の範囲内で、部材および主題の組み合わせである構成に合理的な変形および修正を加えることができる。部材および／または構成の変形および修正に加えて、代替的な用途についても当業者には明らかである。
【図１】
2012518974.tif 000003
【図２】
2012518974.tif 000004
【図３】
2012518974.tif 000005
【図４】
2012518974.tif 000006
【図５】
2012518974.tif 000007
【国際調査報告】
2012518974.tif 000008
2012518974.tif 000009